(57)【要約】      （修正有）【課題】災難厄除け家内安全を祈願し製品化を図ると共に、購入者らは有難く拝む気持を抱きながら、さらに幸せを呼ぶ包丁として調理ができるようにした厄除け包丁を提供する。【解決手段】鉄板材と鋼板材とを鍛造によって形成された柄の取付け部付き包丁刃体の一側面部もしくは他側面部もしくは両側面部に、信仰対象となる物像を赤色インクを使用してシルク印刷を施して、信仰の対象物となる物像を高温にて焼上げると共に、高温処理後、再度前記と同じ信仰の対象物となる物像を信仰の対象物となる物像の上面に金色インクでシルク印刷によって重ね印刷を施し、後方の信仰の対象物となる物像を高温にて焼成し、重ね印刷した前記信仰の対象物となる物像に墨仕上げ塗りを施し後方の信仰の対象となる物像を隠蔽せしめ柄を付して形成した後、厄除け祈祷をし、祈祷時に灯された蝋燭を包丁にふりかけ蝋仕上げをなした。【選択図】図３
0003111619.tif 000002
【実用新案登録請求の範囲】
【請求項１】
鉄板材と鋼板材とを鍛造によって形成された柄の取付け部付き包丁刃体の一側面部もしくは他側面部もしくは両側面部に、信仰対象となる物像を赤色インクを使用してシルク印刷を施して、前記信仰の対象物となる物像を高温にて焼上げると共に、前記高温処理後、再度前記と同じ信仰の対象物となる物像を前記信仰の対象物となる物像の上面に金色インクでシルク印刷によって重ね印刷を施し、前記後方の信仰の対象物となる物像を高温にて焼成し、さらに前記重ね印刷した前記信仰の対象物となる物像に墨仕上げ塗りを施し前記後方の信仰の対象となる物像を隠蔽せしめ柄を付して形成した後、厄除け祈祷をし、前記祈祷時に灯された蝋燭を前記包丁にふりかけ蝋仕上げをなしたことを特徴とする厄除け包丁。
【請求項２】
鉄板材と鋼板材とを鍛造によって形成された柄の取付け部付き包丁刃体の一側面部もしくは他側面部もしくは両側面部に、仏像を赤色インクを使用してシルク印刷を施して、前記仏像を高温にて焼上げると共に、前記高温処理後、再度前記と同じ仏像を前記仏像の上面に金色インクでシルク印刷によって重ね印刷を施し、前記後方の仏像を高温にて焼成し、さらに前記重ね印刷した前記仏像に墨仕上げ塗りを施し仏像を隠蔽せしめ柄を付して形成した後、厄除け祈祷をし、前記祈祷時に灯された蝋燭を前記包丁にふりかけ蝋仕上げをなしたことを特徴とする厄除け包丁。
【請求項３】
鉄板材と鋼板材とを鍛造によって形成された柄の取付け部付き包丁刃体の一側面部もしくは他側面部もしくは両側面部に、座像もしくは立像を赤色インクを使用してシルク印刷を施して、前記座像もしくは立像を高温にて焼上げると共に、前記高温処理後、再度前記と同じ座像もしくは立像を前記仏像の上面に金色インクでシルク印刷によって重ね印刷を施し、前記後方の座像もしくは立像を高温にて焼成し、さらに前記重ね印刷した前記座像もしくは立像に墨仕上げ塗りを施し座像もしくは立像を隠蔽せしめ柄を付して形成した後、厄除け祈祷をし、前記祈祷時に灯された蝋燭を前記包丁にふりかけ蝋仕上げをなしたことを特徴とする厄除け包丁。
【請求項４】
鉄板材と鋼板材とを鍛造によって形成された柄の取付け部付き包丁刃体の一側面部もしくは他側面部もしくは両側面部に、信仰の対象となる物像をシール印刷によって印刷せしめたシールを貼着せしめ柄を付して形成することを特徴とする厄除け包丁。
【請求項５】
鉄板材と鋼板材とを鍛造によって形成された柄の取付け部付き包丁刃体の一側面部もしくは他側面部もしくは両側面部に、仏像をシール印刷によって形成せしめたシールを貼着し柄を付し形成することを特徴とする厄除け包丁。
【請求項６】
鉄板材と鋼板材とを鍛造によって形成された柄の取付け部付き包丁刃体の一側面部もしくは他側面部もしくは両側面部に、座像もしくは立像をシール印刷によって印刷せしめたシールを貼着し柄を付して形成することを特徴とする厄除け包丁。
【請求項７】
鉄板材と鋼板材とを鍛造によって形成された柄の取付け部付き包丁刃体の一側面部もしくは他側面部もしくは両側面部に、信仰の対象となる物像を刻印手法によって形成せしめ柄を付し形成することを特徴とする厄除け包丁。
【請求項８】
鉄板材と鋼板材とを鍛造によって形成された柄の取付け部付き包丁刃体の一側面部もしくは他側面部もしくは両側面部に、仏像を刻印手法によって形成せしめ柄を付し形成することを特徴とする厄除け包丁。
【請求項９】
鉄板材と鋼板材とを鍛造によって形成された柄の取付け部付き包丁刃体の一側面部もしくは他側面部もしくは両側面部に、座像もしくは立像を刻印手法によって形成せしめ柄を付し形成することを特徴とする厄除け包丁。
【請求項１０】
鉄板材と鋼板材とを鍛造によって形成された柄の取付け部付き包丁刃体の一側面部もしくは両側面部に、信仰の対象となる物像を、エッチング手法によって形成せしめ柄を付し形成することを特徴とする厄除け包丁。
【請求項１１】
鉄板材と鋼板材とを鍛造によって形成された柄の取付け部付き包丁刃体の一側面部もしくは両側面部に、仏像を、エッチング手法によって形成せしめ柄を付し形成することを特徴とする厄除け包丁。
【請求項１２】
鉄板材と鋼板材とを鍛造によって形成された柄の取付け部付き包丁刃体の一側面部もしくは両側面部に、座像もしくは立像を、エッチング手法によって形成せしめ柄を付し形成することを特徴とする厄除け包丁。
【請求項１３】
前記包丁刃体の刃先部の先端部と前方端縁部の下方部とを直交せしめて尖状角部とし、前記刃体の背部の前方端部と前記前方端縁部の上方部とを湾曲状の湾曲部とすることを特徴とする請求項１又は請求項２又は請求項３又は請求項４又は請求項５又は請求項６又は請求項７又は請求項８又は請求項９又は請求項１０又は請求項１１又は請求項１２記載の厄除け包丁。
【考案の詳細な説明】
【技術分野】
【０００１】
本考案は、厄除け包丁の技術分野に関するものである。
【背景技術】
【０００２】
従来タイプの包丁は、包丁刃体の側面部に絵柄等を付着し、包丁刃体と共に焼き付けるものがあった。
【０００３】
さらに従来型の包丁は、刃先が尖状のため凶器となる危ない包丁というイメージがあった。
【０００４】
また従来型の包丁は、銀色に光り、尖った刃先を向けられると、ドギとするし、何時の間にか包丁と言えばこんな凶器となりえる包丁が全国の主流となったのか、錆びないとか、切った物が付きにくいとか、生産コストとか、本来包丁が最も研究すべき切れ味及び使いよさを度外視して、直に切れ味の止まる包丁を、やれ板が切れるとか、テレビの太い線が切れるかと、やらせの部分を大きく宣伝し、通販でもお客を騙し、お客もテレビが宣伝しているのだから粗悪な物ではないだろうとして買っていた。その結果家庭の台所には、凶器となる包丁が蔓延することになった。
【０００５】
さらに従来のステンレス鋼製の洋包丁は、欧米のサーベルから発想されている。サーベルは切ると言うより突き刺すものである。何を切るにしても押し切りである。レストランのシェフは、包丁の先を台から離さずキャベツをスライスする。日本は日本刀の伝統からきた包丁なので引き切りである押して切ると言うより引いて切る方が多い。
【０００６】
従来タイプの包丁は、錆びにくいとの理由だけでステン鋼に変ってしまった。
【０００７】
また包丁にも切った材料が、包丁離れが悪いとの理由で刃体に穴を明けた包丁やガード付きのものがある。
【特許文献１】登録第３０６６７３８号実用新案公報
【考案の開示】
【考案が解決しようとする課題】
【０００８】
前記実用新案登録第３０６６７３８号に係る包丁は、絵柄シートを切断刃の表面に付着し刃板と共に焼付けるものであった。さらに前記実用新案の包丁は、付着した絵柄が野菜等のカット時に利離しないことのみを創作の目的としている。
【０００９】
また前記実用新案のものは、包丁に付着した絵柄が、若者や子供向けに若者や子どもらに興味を抱かせるもので、家内安全や災難厄除け等をひそめたものではない。
【００１０】
さらに前記実用新案は、刃先を尖らせたもので、向けられると恐怖感を感ずるものである。
【００１１】
しかるに本考案の厄除け包丁は、日本でも名殺として名高い例えば日蓮宗総本山長久山本成寺（所在地新潟県三条市西本成寺）にて、災難厄除け家内安全を祈願し製品化を図ると共に、購入者らは有難く拝む気持を抱きながら、さらに幸せを呼ぶ包丁として調理ができるようにした。
【００１２】
さらに本考案の包丁は、刃体の前方面部の下方部と刃部の先端部を直交し尖状にして、出刃包丁の機能を発揮させると共に、前記前方面部の上方部と刃体の背部とを湾曲形状に形成して、仮に向けられても恐怖感を抱いたりしないようにした。さらに本考案の包丁は、鉄材と鋼材とを職人らが鍛造加工によって仕上げ形成したもので、鉄分を含有し、人間の体にとっても最も大切な鉄分を特別な薬を服用することなく自然にとれるようにした。
【００１３】
また本考案の包丁は、購入時には信仰の対象となる物像や観音菩薩像等の仏像（座像、立像を含む）等が浮上しないが、使用時において最初は金色の前記物像又は仏像等が出現し、相当長時間そのままの状態を確保して、使用者らにおみくじを引いて有難く縁起の良い、大吉が出たときのような幸せ感を抱かせると共に、福がまい込んだ厳かな気分にしてくれる等、好感度を抜群にしてくれるものである。
【課題を解決するための手段】
【００１４】
請求項１記載の厄除け包丁は、鉄板材と鋼板材とを鍛造によって形成された柄の取付け部付き包丁刃体の一側面部もしくは他側面部もしくは両側面部に、信仰対象となる物像を赤色インクを使用してシルク印刷を施して、前記信仰の対象物となる物像を高温にて焼上げると共に、前記高温処理後、再度前記と同じ信仰の対象物となる物像を前記信仰の対象物となる物像の上面に金色インクでシルク印刷によって重ね印刷を施し、前記後方の信仰の対象物となる物像を高温にて焼成し、さらに前記重ね印刷した前記信仰の対象物となる物像に墨仕上げ塗りを施し前記後方の信仰の対象となる物像を隠蔽せしめ柄を付して形成した後、厄除け祈祷をし、前記祈祷時に灯された蝋燭を前記包丁にふりかけ蝋仕上げをなしたことを特徴とする厄除け包丁である。
【００１５】
請求項２記載の厄除け包丁は、鉄板材と鋼板材とを鍛造によって形成された柄の取付け部付き包丁刃体の一側面部もしくは他側面部もしくは両側面部に、仏像を赤色インクを使用してシルク印刷を施して、前記仏像を高温にて焼上げると共に、前記高温処理後、再度前記と同じ仏像を前記仏像の上面に金色インクでシルク印刷によって重ね印刷を施し、前記後方の仏像を高温にて焼成し、さらに前記重ね印刷した前記仏像に墨仕上げ塗りを施し仏像を隠蔽せしめ柄を付して形成した後、厄除け祈祷をし、前記祈祷時に灯された蝋燭を前記包丁にふりかけ蝋仕上げをなしたことを特徴とする厄除け包丁である。
【００１６】
請求項３記載の厄除け包丁は、鉄板材と鋼板材とを鍛造によって形成された柄の取付け部付き包丁刃体の一側面部もしくは他側面部もしくは両側面部に、座像もしくは立像を赤色インクを使用してシルク印刷を施して、前記座像もしくは立像を高温にて焼上げると共に、前記高温処理後、再度前記と同じ座像もしくは立像を前記仏像の上面に金色インクでシルク印刷によって重ね印刷を施し、前記後方の座像もしくは立像を高温にて焼成し、さらに前記重ね印刷した前記座像もしくは立像に墨仕上げ塗りを施し座像もしくは立像を隠蔽せしめ柄を付して形成した後、厄除け祈祷をし、前記祈祷時に灯された蝋燭を前記包丁にふりかけ蝋仕上げをなしたことを特徴とする厄除け包丁である。
【００１７】
請求項４記載の厄除け包丁は、鉄板材と鋼板材とを鍛造によって形成された柄の取付け部付き包丁刃体の一側面部もしくは他側面部もしくは両側面部に、信仰の対象となる物像をシール印刷によって印刷せしめたシールを貼着し柄を付して形成することを特徴とする厄除け包丁である。
【００１８】
請求項５記載の厄除け包丁は、鉄板材と鋼板材とを鍛造によって形成された柄の取付け部付き包丁刃体の一側面部もしくは他側面部もしくは両側面部に、仏像をシール印刷によって形成せしめ前記シールを貼着し柄を付し形成することを特徴とする厄除け包丁である。
【００１９】
請求項６記載の厄除け包丁は、鉄板材と鋼板材とを鍛造によって形成された柄の取付け部付き包丁刃体の一側面部もしくは他側面部もしくは両側面部に、座像もしくは立像をシール印刷によって印刷せしめたシールを貼着し柄を付して形成することを特徴とする厄除け包丁である。
【００２０】
請求項７記載の厄除け包丁は、鉄板材と鋼板材とを鍛造によって形成された柄の取付け部付き包丁刃体の一側面部もしくは他側面部もしくは両側面部に、信仰の対象となる物像を刻印手法によって形成せしめ柄を付し形成することを特徴とする厄除け包丁である。
【００２１】
請求項８記載の厄除け包丁は、鉄板材と鋼板材とを鍛造によって形成された柄の取付け部付き包丁刃体の一側面部もしくは他側面部もしくは両側面部に、仏像を刻印手法によって形成せしめ柄を付し形成することを特徴とする厄除け包丁である。
【００２２】
請求項９記載の厄除け包丁は、鉄板材と鋼板材とを鍛造によって形成された柄の取付け部付き包丁刃体の一側面部もしくは他側面部もしくは両側面部に、座像もしくは立像を刻印手法によって形成せしめ柄を付し形成することを特徴とする厄除け包丁である。
【００２３】
請求項１０記載の厄除け包丁は、鉄板材と鋼板材とを鍛造によって形成された柄の取付け部付き包丁刃体の一側面部もしくは両側面部に、信仰の対象となる物像を、エッチング手法によって形成せしめ柄を付し形成することを特徴とする厄除け包丁である。
【００２４】
請求項１１記載の厄除け包丁は、鉄板材と鋼板材とを鍛造によって形成された柄の取付け部付き包丁刃体の一側面部もしくは両側面部に、仏像を、エッチング手法によって形成せしめ柄を付し形成することを特徴とする厄除け包丁である。
【００２５】
請求項１２記載の厄除け包丁は、鉄板材と鋼板材とを鍛造によって形成された柄の取付け部付き包丁刃体の一側面部もしくは両側面部に、座像もしくは立像を、エッチング手法によって形成せしめ柄を付し形成することを特徴とする厄除け包丁である。
【００２６】
請求項１３記載の厄除け包丁は前記包丁刃体の刃先部の先端部と前方端縁部の下方部とを直交せしめて尖状角部とし、前記刃体の背部の前方端部と前記前方端縁部の上方部とを湾曲状の湾曲部とすることを特徴とする請求項１又は請求項２又は請求項３又は請求項４又は請求項５又は請求項６又は請求項７又は請求項８又は請求項９又は請求項１０又は請求項１１又は請求項１２記載の厄除け包丁である。
【考案の効果】
【００２７】
本考案の請求項１記載の考案は、鉄板材と鋼板材とを鍛造によって形成された柄の取付け部付き包丁刃体の一側面部もしくは他側面部もしくは両側面部に、信仰対象となる物像を赤色インクを使用してシルク印刷を施して、前記信仰の対象物となる物像を高温にて焼上げると共に、前記高温処理後、再度前記と同じ信仰の対象物となる物像を前記信仰の対象物となる物像の上面に金色インクでシルク印刷によって重ね印刷を施し、前記後方の信仰の対象物となる物像を高温にて焼成し、さらに前記重ね印刷した前記信仰の対象物となる物像に墨仕上げ塗りを施し前記後方の信仰の対象となる物像を隠蔽せしめ柄を付して形成した後、厄除け祈祷をし、前記祈祷時に灯された蝋燭を前記包丁にふりかけ蝋仕上げをなした厄除け包丁なので、ご家庭の主婦らが調理を始めるときに包丁の側面部にぬるま湯にて付いている墨を流し、刃体の側面部に焼着の金色を施した物像が現出し、直感的にごりやくを感受すると共に、そのごりやく感を相当長期間保持せしめ、さらに所定期間が経過すると、前記金色の物像が消えて、次に赤色の物像もしくは仏像が現われ、さらにごりやくを頂いた包丁であるとの幸福感を感受する等の利点がある。
【００２８】
さらに本考案の厄除け包丁は、長期間ごりやく感と、幸せ感と、厄除け感等を一体に感じ取ることができる。
【００２９】
また本考案の厄除け包丁は、従来の包丁のように向けられても恐怖感を感ずることがない利点を有している。
【００３０】
請求項２記載の考案は、鉄板材と鋼板材とを鍛造によって形成された柄の取付け部付き包丁刃体の一側面部もしくは他側面部もしくは両側面部に、仏像を赤色インクを使用してシルク印刷を施して、前記仏像を高温にて焼上げると共に、前記高温処理後、再度前記と同じ仏像を前記仏像の上面に金色インクでシルク印刷によって重ね印刷を施し、前記後方の仏像を高温にて焼成し、さらに前記重ね印刷した前記仏像に墨仕上げ塗りを施し仏像を隠蔽せしめ柄を付して形成した後、厄除け祈祷をし、前記祈祷時に灯された蝋燭を前記包丁にふりかけ蝋仕上げをなした厄除け包丁なので、刃体の一側面部または両側面部に付着せしめた仏像を常時見ながら調理ができる。そのため使用中の厄除け包丁は、ごりやく感と幸福感と厄除け感等を一体に感じ取りながら調理ができる。
【００３１】
請求項３記載の厄除け包丁は、鉄板材と鋼板材とを鍛造によって形成された柄の取付け部付き包丁刃体の一側面部もしくは他側面部もしくは両側面部に、座像もしくは立像を赤色インクを使用してシルク印刷を施して、前記座像もしくは立像を高温にて焼上げると共に、前記高温処理後、再度前記と同じ座像もしくは立像を前記仏像の上面に金色インクでシルク印刷によって重ね印刷を施し、前記後方の座像もしくは立像を高温にて焼成し、さらに前記重ね印刷した前記座像もしくは立像に墨仕上げ塗りを施し座像もしくは立像を隠蔽せしめ柄を付して形成した後、厄除け祈祷をし、前記祈祷時に灯された蝋燭を前記包丁にふりかけ蝋仕上げをなした厄除け包丁なので、刃体の一側面部もしくは両側面部の座像もしくは立像を常時見ながら調理ができる。そのため使用中の厄除け包丁は、ごりやく感と幸福感と、厄除け感等を一体に感じ取りながら調理ができる利点がある。
【００３２】
請求項４記載の厄除け包丁は、鉄板材と鋼板材とを鍛造によって形成された柄の取付け部付き包丁刃体の一側面部もしくは他側面部もしくは両側面部に、信仰の対象となる物像をシール印刷によって印刷せしめたシールを貼着せしめ柄を付して形成する厄除け包丁なので、刃体の一側面部もしくは他側面部に貼着のシールに印刷された信仰の対象となっている物像を常時見ながら調理ができる。そのため使用中の厄除け包丁は、ごりやく感と幸福感と、厄除け感等を一体に感じ取りながら調理ができる。
【００３３】
請求項５記載の厄除け包丁は、鉄板材と鋼板材とを鍛造によって形成された柄の取付け部付き包丁刃体の一側面部もしくは他側面部もしくは両側面部に、仏像をシール印刷によって形成せしめ柄を付し形成する厄除け包丁なので、刃体の一側面部または両側面部に形成せしめた仏像を常時見ながら調理ができる。そのため使用中の厄除け包丁は、ごりやく感と幸福感と厄除け感等を一体に感じ取りながら調理ができる。
【００３４】
請求項６記載の厄除け包丁は、鉄板材と鋼板材とを鍛造によって形成された柄の取付け部付き包丁刃体の一側面部もしくは他側面部もしくは両側面部に、座像もしくは立像をシール印刷によって印刷せしめたシールを貼着せしめ柄を付して形成する厄除け包丁なので、刃体の一側面部もしくは他側面部に貼着した座像もしくは立像を常時見ながら調理ができる。そのため使用中の厄除け包丁は、ごりやく感と幸福感と厄除け感等を一体に感じ取りながら調理ができる。
【００３５】
請求項７記載の厄除け包丁は、鉄板材と鋼板材とを鍛造によって形成された柄の取付け部付き包丁刃体の一側面部もしくは他側面部もしくは両側面部に、信仰の対象となる物像を刻印手法によって形成せしめ柄を付し形成する厄除け包丁なので、刃体の一側面部もしくは両側面部の信仰の対象となる物像を常時見ながら調理ができる。そのため使用中の厄除け包丁は、ごりやく感と幸福感と、厄除け感等を一体に感じ取りながら調理ができる利点がある。
【００３６】
請求項８記載の厄除け包丁は、鉄板材と鋼板材とを鍛造によって形成された柄の取付け部付き包丁刃体の一側面部もしくは他側面部もしくは両側面部に、仏像を刻印手法によって形成せしめ柄を付し形成する厄除け包丁なので、刃体の一側面部または両側面部に形成せしめた仏像を常時見ながら調理ができる。そのため使用中の厄除け包丁は、ごりやく感と幸福感と厄除け感等を一体に感じ取りながら調理ができる。
【００３７】
請求項９記載の厄除け包丁は、鉄板材と鋼板材とを鍛造によって形成された柄の取付け部付き包丁刃体の一側面部もしくは他側面部もしくは両側面部に、座像もしくは立像を刻印手法によって形成せしめ柄を付し形成する厄除け包丁なので、刃体の一側面部または両側面部に形成せしめた仏像を常時見ながら調理ができる。そのため使用中の厄除け包丁は、ごりやく感と幸福感と厄除け感等を一体に感じ取りながら調理ができる。
【００３８】
請求項１０記載の厄除け包丁は、鉄板材と鋼板材とを鍛造によって形成された柄の取付け部付き包丁刃体の一側面部もしくは両側面部に、信仰の対象となる物像を、エッチング手法によって形成せしめ柄を付し形成する厄除け包丁なので、刃体の一側面部または両側面部に形成せしめた信仰の対象の物像を常時見ながら調理ができる。そのため使用中の厄除け包丁は、ごりやく感と幸福感と厄除け感等を一体に感じ取りながら調理ができる。
【００３９】
請求項１１記載の厄除け包丁は、鉄板材と鋼板材とを鍛造によって形成された柄の取付け部付き包丁刃体の一側面部もしくは両側面部に、仏像を、エッチング手法によって形成せしめ柄を付し形成する厄除け包丁なので、刃体の一側面部または両側面部に形成せしめた仏像を常時見ながら調理ができる。そのため使用中の厄除け包丁は、ごりやく感と幸福感と厄除け感等を一体に感じ取りながら調理ができる。
【００４０】
請求項１２記載の厄除け包丁は、鉄板材と鋼板材とを鍛造によって形成された柄の取付け部付き包丁刃体の一側面部もしくは両側面部に、座像もしくは立像を、エッチング手法によって形成せしめ柄を付し形成する厄除け包丁なので、刃体の一側面部または両側面部に形成せしめた座像もしくは立像を常時見ながら調理ができる。そのため使用中の厄除け包丁は、ごりやく感と幸福感と厄除け感等を一体に感じ取りながら調理ができる。
【００４１】
請求項１３記載の厄除け包丁は、前記包丁刃体の刃先部の先端部と前方端縁部の下方部とを直交せしめて尖状角部とし、前記刃体の背部の前方端部と前記前方端縁部の上方部とを湾曲状の湾曲部とする厄除け包丁なので、下方の角度を従来タイプの出刃と同じように調理ができると共に、刃体を向けられても上方湾曲部によって突刺する従来タイプの刃先が尖状のものと異なり恐怖感を感ずることが極めて少ない利点がある。
【００４２】
さらに本考案の包丁は、請求項１又は請求項２又は請求項３又は請求項４又は請求項５又は請求項６又は請求項７又は請求項８又は請求項９又は請求項１０又は請求項１１記載の考案の効果と同じ効果を有している。
【００４３】
また本考案の包丁は、通常の包丁としての使用以外に菜切り包丁としても使用ができる、いわゆる厄除け包丁としての効果を保有している。
【考案を実施するための最良の形態】
【００４４】
本考案の厄除け包丁に関する請求項１〜１３記載の考案は、共通しているので一括して図面にもとづき説明すると以下のとおりである。
【００４５】
図面において、Ａは本考案の厄除け包丁であって以下の構成からなっている。
【００４６】
本考案の包丁Ａは、ステンレス鋼板を打抜き、刃付けを施し製品化する従来タイプの包丁とは異なる。即ち本考案の包丁は、鉄板材に鋼板材を挿入し、熱してからこの道一筋の老職人が家内安全を願いながら一打ち一打ちして鍛え製造したのが刃体１である。
【００４７】
２は握り柄３を取付ける柄取付け部である。４は刃先部、５は刃体１の一側面部、６は刃体１の他側面部である。
【００４８】
７は刃体１の背部、８は刃体１の前方端縁部である。
【００４９】
前記前方端縁部８の下方部と刃先部４の先端部とを交叉せしめ尖状角部９を形成する。
【００５０】
さらに前記背部７の前方端部と前記前方端縁部８の上方部とを湾曲せしめ湾曲部１０とする。
【００５１】
１１は刃体１の一側面部５の表面に、赤色インクにより、シルク印刷を施した仏像中の赤色観音菩薩像である。前記菩薩像１１は刃体１の一側面部５もしくは他側面部６の何れか一方もしくは、両側面部５、６に印刷をしてもよい。
【００５２】
上記赤色観音菩薩像１１は約２００℃で焼着する。その結果は前記菩薩像１１が容易に離脱しない。
【００５３】
次に本考案は、前記のように第１工程によって焼着せしめた仏像中の菩薩像１１の上面に仏像中の金色の観音菩薩像１２をシルク印刷を施して重ね印刷処理をする。
【００５４】
そして前記第２の菩薩像１２が印刷されたら、約２００℃で焼着する。
【００５５】
さらに本考案の包丁は、前記第１、第２の菩薩像１１、１２を焼着後、上面に墨を塗布し前記各像を隠蔽する。なお信仰の対象となる物像についても、前記の菩薩像１１、１２と同じ手法によって形成する。
【００５６】
そして柄取付け部２に握り柄３を嵌着する。
【００５７】
本考案は前記のような工程が終了すると、厄除け祈祷を前記製品をまとめて日本にて名殺として名高い寺院、例えば出願人所在地の新潟県三条市に本山を持つ日蓮宗総本山長久山本成寺にて災難厄除け、家内安全を祈願して頂くものである。
【００５８】
そして、前記の名刹の寺院にて厄除け祈祷を受け、その際灯された蝋燭を前記包丁にふりかけ蝋仕上げをして製品として完成させる。しかる後販売するという順序となる。
【００５９】
さらに本考案は、前記物像もしくは仏像中の観音菩薩像１３もしくは物像を所定の色彩、例えば赤色もしくは金色にてシール１４に着色印刷をする。しかる後前記の刃体１の一側面部５もしくは他側面部６もしくは両側面部５，６に貼着してやる。そして柄３をつける。
【００６０】
前記のようにして製造された製品を大量に前記の名刹にて前記と同じ祈願を受ける。
【００６１】
前記厄除け祈祷後、祈祷時に灯された蝋燭を前記包丁にふりかけ蝋仕上げをして製品として完成させる。
【００６２】
前記のように仕上げた後販売するという手順となる。
【００６３】
また本考案は、前記物像もしくは仏像中の観音菩薩像等を刃体１の一側面部５もしくは他側面部６、もしくは両側面部５，６に刻印手法によって形成し製品化することもできる。
【００６４】
さらに本考案は、刃体１の一側面部５もしくは他側面部６もしくは両側面部５，６に、前記物像もしくは仏像中の観音菩薩像等をエッチング手法によって形成してもよい。そしてエッチングされた観音菩薩像を付記後、柄３を入れ製品とする。しかる後大量の包丁を前記と同じ名刹にて前記と同じ手法で祈願して頂く。後販売する。
【００６５】
また本考案の厄除け包丁Ａは、尖状角部９を利用して菜切り包丁として使用する。
【００６６】
さらに本考案の厄除け包丁Ａは湾曲部１０が形成されているので、仮にも包丁Ａを握ったまま向けられても、従来の出刃包丁や刃先が尖状の従来タイプの包丁と異なり、恐怖感を与えない。
なお、本考案は座像や立像等（図示なし）を前記の各手法と同じ手法で刃体１に形成もしくはシールにて貼着することができる。
【図面の簡単な説明】
【００６７】
【図１】本考案厄除け包丁の菩薩像を付着前の刃体の正面図である。
【００６８】
【図２】同包丁の刃体の一側面部に第１の赤色観音菩薩像をシール印刷によって付記せしめた刃体の正面図である。
【００６９】
【図３】同刃体に菩薩像が全く同じ金色の前記観音菩薩像を図２の像に重なるようにシルク印刷を施した刃体の正面図である。
【００７０】
【図４】図３によって形成の刃体の表面に墨を塗付して前記観音菩薩像を隠蔽し、柄をつけた包丁の正面図である。
【００７１】
【図５】図４の包丁の右側面図である。
【００７２】
【図６】シールに観音菩薩像を印刷した正面図である。
【００７３】
【図７】刃体に刻印された観音菩薩像のみの正面図である。
【符号の説明】
【００７４】
Ａ      厄除け包丁
１      刃体
２      柄取付部
３      柄
４      刃先部
５      一側面部
６      他側面部
７      背部
８      前方端像部
９      尖状角部
１０    湾曲部
１１    赤色観音菩薩像
１２    金色観音菩薩像
１３    観音菩薩像
１４    シール
【図１】
0003111619.tif 000003
【図２】
0003111619.tif 000004
【図３】
0003111619.tif 000005
【図４】
0003111619.tif 000006
【図５】
0003111619.tif 000007
【図６】
0003111619.tif 000008
【図７】
0003111619.tif 000009